(57)【要約】【課題】  家庭などで複数のＴＶで、同一コンテンツの視聴が望まれている。例えば、再生装置のコンテンツをＴＶ２台で視聴する場合に、二つのＴＶから音声を出力すると耳障りである。  本発明は、音声の聞き取りやすい環境を提供することを課題とする。【解決手段】  再生装置が自動的に音声を出力するＴＶを決定し、音声を出力するＴＶを1台のみとする。  ＴＶ（１）の能力情報の方がＴＶ（２）の能力情報よりも高い場合、再生装置は、ＴＶ（１）に通常再生制御し、ＴＶ（２）はミュート制御する。【選択図】  図１
2009130706.tif 000002
【特許請求の範囲】
【請求項１】
１つ以上の映像及び音声を出力する視聴装置、並びに映像及び音声を再生する再生装置を備えた音声出力制御システムであって、
前記再生装置は前記視聴装置に対し、能力情報を要求する信号を送信する手段を有し、
前記視聴装置は前記再生装置に対し、要求された能力情報を送信する手段を有し、
前記再生装置は受信した前記１つ以上の視聴装置の能力情報の高低を比較する手段を有すると共に、
前記再生装置は能力情報が最も高いと判断した前記視聴装置に通常再生制御信号を送り、その他の前記視聴装置に対しミュート制御信号を送る手段を有し、
前記視聴装置は受信した制御信号に基づき再生設定し、再生する手段
を有することを特徴とする音声出力制御システム。
【請求項２】
前記映像及び音声を出力する視聴装置は、
少なくとも、
通信を行う通信装置と、
音量を調整する機能を有する、内蔵もしくは外部音声出力装置と、
前記再生装置から受信した音声信号を再生する音声処理部とを有し、
前記通信装置を介して外部からの制御信号を受信し、前記音声出力装置の音声出力状態を制御することを特徴とする請求項１に記載の音声出力制御システム。
【請求項３】
前記映像及び音声を再生する再生装置は、
少なくとも、
通信を行う通信装置と、
音声信号を再生する、音声処理部と、
前記通信装置を介して、接続した前記視聴装置の能力情報を要求する信号を送出し、
受信した1つ以上の、前記視聴装置の能力情報の高低を比較する処理部とを有し、
比較結果に基づき、前記通信手段を介して、前記視聴装置に音声出力状態を制御する制御信号を送り、前記視聴装置の音声出力状態を制御することを特徴とする請求項１に記載の音声出力制御システム。
【発明の詳細な説明】
【技術分野】
【０００１】
本発明は、１つ以上の映像及び音声を出力する視聴装置、並びに映像及び音声を再生する再生装置を備えた音声出力制御システムに関するものである。
【背景技術】
【０００２】
現在、同一コンテンツを視聴する際、複数の音声出力先が存在する場合に、ユーザの手を煩わせることなく音声出力先を一つにする方法が提案されている。
【０００３】
音声出力先を一つにする手段として、ＴＶの電源オン/オフ状態を用いるものがある（例えば、特許文献１）。具体的には、テレビの音声メインアンプからの音声信号と、スピーカ入力端子を介して入力した外部オーディオアンプからのスピーカ出力信号とを切り替える切替器を有し、テレビの電源がＯＮのときはテレビの音声メインアンプからの音声信号を選択し、ＯＦＦのときは外部オーディオアンプからのスピーカ出力信号を選択して共通のオーディオスピーカへ出力するものである。
【０００４】
また、車載システムとして、パレンタルレベルを用いてフロントモニタとリアモニタの再生制御を行うものも提案されている（特許文献２）。具体的には、次の通りである。ＤＶＤ-Ｖｉｄｅｏ再生装置がユーザによってフロントモニタにのみ映像を出力する装置としてのみ選択されたならば、ＤＶＤ-Ｖｉｄｅｏ再生装置にパレンタルレベルａを設定する。一方、ＤＶＤ-Ｖｉｄｅｏ再生装置がユーザによってリアモニタにのみ、または、リアモニタとフロントモニタの双方に、映像を出力する装置としてのみ選択されたならば、ＤＶＤ-Ｖｉｄｅｏ再生装置にパレンタルレベルｂ（ａ＞ｂ）を設定する。ＤＶＤ-Ｖｉｄｅｏ再生装置は、設定されたパレンタルレベルで許容されるパレンタルレベル範囲が定義されたビデオコンテンツのみを再生する、というものである。
【０００５】
更に、音声出力モードにより、音声出力先の機器を自動で決定するシステムも提案されている（特許文献３）。具体的には、次の通りである。ＤＶＤプレーヤの制御部は、ＴＶの制御部に対し、音声出力モードに関する要求信号を送信する。ＴＶの制御部はＤＶＤプレーヤの要求に従い、ＡＶアンプの制御部に対し、ＡＶアンプに接続された外部スピーカから音声を出力できる状態にするか、もしくは外部スピーカを消音状態にするかを指示すると共にし、ＴＶの内蔵スピーカの状態を前記外部スピーカの状態とは逆の状態に設定する、というものである。
【特許文献１】特開２００３−３０９８９２号公報
【特許文献２】特開２００６−１９７４３２号公報
【特許文献３】特開２００７−１２４５５２号公報
【発明の開示】
【発明が解決しようとする課題】
【０００６】
しかしながら、上述した従来の方法では、音声を出力する視聴装置の能力差が大きい場合を想定していないため、能力の低い視聴装置から音声が出力されてしまうことがあった。
【０００７】
また、ユーザ自身が、リモコン等を使用し、音声出力の設定しなければならないことがあった。
【課題を解決するための手段】
【０００８】
上述した課題を解決するために、本発明は、１つ以上の映像及び音声を出力する視聴装置、並びに映像及び音声を再生する再生装置を備えた音声出力制御システムであって、
前記再生装置が、前記視聴装置に対し、能力情報を要求する信号を送信する手段と、
前記視聴装置が、前記再生装置に対し、要求された能力情報を送信する手段と、
前記再生装置が、受信した前記１つ以上の視聴装置の能力情報の高低を比較する手段と、
前記再生装置が、能力情報が最も高いと判断した前記視聴装置に通常再生制御信号を送り、その他の前記視聴装置に対しミュート制御信号を送る手段と、
前記視聴装置が、受信した制御信号に基づき再生設定し、再生する手段
を有することを特徴とする。
【発明の効果】
【０００９】
本発明によれば、再生装置が、視聴装置の能力情報を用いて、自動で音声出力先の視聴装置を決定し制御することで、ユーザの手を煩わせることなく、音声の聞き取りやすい環境を作ることが可能となる。
【発明を実施するための最良の形態】
【００１０】
次に、本発明の詳細を実施例の記述に従って説明する。
【００１１】
以下、図面を参照しながら本発明の実施形態を説明する。
【実施例１】
【００１２】
本発明の第一の実施形態について説明する。
【００１３】
図１は、第一の実施形態におけるシステム構成である。本実施形態の音声出力システムは、ＴＶ（１）１０１、ＴＶ（２）１０７、再生装置１１３で構成されている。
【００１４】
ＴＶ（１）１０１は、メモリ１０２、ＣＰＵ１０３、通信手段１０４、映像出力装置１０６、音声出力装置１０５で構成される。ＴＶ（２）１０７も同等の構成となっている。
【００１５】
前記メモリ１０２は、能力情報を保持することが可能であることとする。ＣＰＵ１０３は、能力情報をメモリ１０２から取り出し、通信手段１０４を通じて再生装置へ送ることが可能となっているものとする。
【００１６】
再生装置１１３は、ＣＰＵ１１４、メモリ１１５、通信手段１１６で構成される。再生装置としては、カムコーダ、カメラ、録画機器などを例として挙げる。
【００１７】
再生装置１１３のＣＰＵ１１４は、通信手段１１６を通じてＴＶ（１）１０１及びＴＶ（２）１０７の能力情報が取得可能に構成されている。能力情報の取得には、例えば非同期通信のデータチャネル（ＨＤＭＩならＣＥＣ）を用いる。再生装置１１３のＣＰＵ１１４は、取得した能力情報をメモリ１１５に格納することが可能となっているものとする。メモリ１１５への格納方法の例を図８に示す。
【００１８】
再生装置１１３のＣＰＵ１１４は、メモリ１１５に格納された能力情報参照し、能力情報の比較をすることが可能な構成となっている。再生装置１１３のＣＰＵ１１４は、格納された内容が、図８と同等の形態の場合、能力情報１を比較する。図８の例では、ＴＶ１の能力情報１が１０、ＴＶ２の能力情報１が５のため、再生装置１１３のＣＰＵ１１４は、１０＞５の理由から、ＴＶ１の方がＴＶ２より能力が高いと判断するものとする。
【００１９】
再生装置１１３のＣＰＵ１１４は、通信手段１１６を通じてＴＶ（１）１０１及びＴＶ（２）１０７に、音声出力権の有無の設定を行う制御信号を送ることが可能なように構成されている。
【００２０】
ＴＶ（１）１０１及びＴＶ（２）１０７のＣＰＵ１０３、１０９は、通信手段１０４、１１０を通じて、音声出力権が無しと設定された制御信号を受けた場合、ユーザがリモコンでミュート制御した場合と同様のミュート状態になるようにＴＶを制御するように構成されている。その逆に、ミュート状態の解除も可能であるものとする。
【００２１】
上記の環境で図２の処理を行う。図２は、第一の実施形態における音声出力制御システムの処理のシーケンス図である。
【００２２】
再生装置１１３は通信手段１１６を通じて、ＴＶ（１）１０１に対し、接続要求２０１をする。ＴＶ（１）１０１のＣＰＵ１０３は、通信手段１０４を通じて接続要求を受けると、メモリ１０２に格納されている能力情報２０２を再生装置１１３に対して返す。同様に、再生装置１１３は、ＴＶ（２）１０７に対しても接続要求２０３を行い、ＴＶ（２）１０７はこれを受けメモリ１０８に格納されている能力情報２０４を返す。
【００２３】
再生装置１１３は、能力情報２０２及び２０４を受信すると、メモリ１１５へと格納する。ＣＰＵ１１４は、この能力情報２０２、２０４を用い、能力情報の比較２０５を行う。この結果、音声出力先の決定２０６をする。能力情報２０２の方が２０４よりも能力が高い場合、再生装置１１３のＣＰＵ１１４は、通信手段１１６を通じて、ＴＶ（１）１０１に対し通常再生制御２０７する信号を送り、ＴＶ（２）１０７にはミュート制御２０８を行う信号を送る。
【００２４】
通信手段１０４、１１０を通じて、上記制御信号を受け取ると、ＴＶ（１）１０１のＣＰＵ１０３は音声出力設定２０９を行い、ＴＶ（２）１０７のＣＰＵ１０９はミュート設定２１０を行う。その後、再生装置１１３は、ＴＶ（１）１０１及びＴＶ（２）１０７に対しコンテンツ転送２１１、２１２を行う。
【００２５】
これらの処理により、ＴＶ（１）１０１では通常の再生開始２１３し、ＴＶ（２）１０７はミュート状態での再生開始２１４することになる。
【００２６】
前記能力情報の例として、以下を挙げる。
【００２７】
１．解像度
２．パネルサイズ
３．スピーカ最大出力Ｗ数
４．スピーカ出力可能周波数
５．スピーカサイズ
６．接続スピーカの数
７．上記の組み合わせ
以下に、上記能力情報の例としてあげた７項目について、それぞれの能力情報の高低を判定する方法の例を記載する。
【００２８】
１．能力情報が解像度の場合の例
例えば、ＴＶ（１）１０１の解像度が１９２０＊１０８０で、ＴＶ（２）１０７の解像度が９６０＊５４０であった場合、ＴＶ（１）１０１の能力の方がＴＶ（２）１０７よりも能力が高いとする。
【００２９】
この判定方法の理由は、解像度が高いＴＶは、解像度が低いＴＶと比べ、ＴＶセット全体の性能が良いと考えられるというものである。結果として、音声出力先としても良質な方の視聴装置を選択することなり、音声の聞き取りやすい環境を作ることが可能となる。
【００３０】
２．能力情報がパネルサイズであった場合の例
例えば、ＴＶ（１）１０１のパネルサイズが５０型、ＴＶ（２）１０７のパネルサイズが３０型だった場合、ＴＶ（１）１０１の能力の方が、ＴＶ（２）１０７の能力よりも高いとする。
【００３１】
この判定方法の理由は、パネルサイズが高いＴＶは、パネルが低いＴＶと比べ、ＴＶセット全体の性能が良いと考えられるというものである。結果として、音声出力先としても良質な方の視聴装置を選択することなり、音声の聞き取りやすい環境を作ることが可能となる。
【００３２】
３．能力情報がスピーカ最大出力Ｗ数だった場合の例
例えば、ＴＶ（１）１０１のスピーカ最大出力Ｗ数が１０Ｗ、ＴＶ（２）１０７のスピーカ最大出力Ｗ数が１５Ｗだった場合、ＴＶ（２）１０７の能力の方が、ＴＶ（１）１０１の能力よりも高いものとする。
【００３３】
この判定方法の理由は、スピーカ最大出力Ｗ数が大きいＴＶは、スピーカ最大出力Ｗ数が小さいＴＶと比べ、全体としてのオーディオ性能が良いと考えられるというものである。結果として、音声出力先としても良質な方の視聴装置を選択することなり、音声の聞き取りやすい環境を作ることが可能となる。
【００３４】
４．能力情報が、スピーカ出力可能周波数だった場合の例
例えば、ＴＶ（１）１０１のスピーカ出力可能周波数が１００Ｈｚから１００００Ｈｚ、ＴＶ（２）１０７のスピーカ出力可能周波数が１０００Ｈｚから２０００Ｈｚだった場合、（１００００−１００）＞（２０００−１０００）の理由で、ＴＶ１の能力の方がＴＶ（２）１０７の能力よりも高いとする。
【００３５】
この判定方法の理由は、スピーカ出力可能周波数が広いＴＶは、スピーカ出力可能周波数が狭いＴＶと比べ、全体としてのオーディオ性能が良いと考えられるというものである。結果として、音声出力先としても良質な方の視聴装置を選択することなり、音声の聞き取りやすい環境を作ることが可能となる。
【００３６】
５．能力情報がスピーカサイズだった場合の例
例えば、ＴＶ（１）１０１のスピーカサイズが１０インチ、ＴＶ（２）１０７のスピーカサイズが２０インチだった場合、ＴＶ（２）１０７の能力の方が、ＴＶ（１）１０１の能力よりも高いとする。
【００３７】
この判定方法の理由は、スピーカサイズが大きいＴＶは、スピーカサイズが小さいＴＶと比べ、全体としてのオーディオ性能が良いと考えられるというものである。結果として、音声出力先としても良質な方の視聴装置を選択することなり、音声の聞き取りやすい環境を作ることが可能となる。
【００３８】
６．能力情報が接続スピーカの数だった場合の例
例えば、ＴＶ（１）１０１に接続されているスピーカの数が５個、ＴＶ（２）１０７に接続されているスピーカの数が１個だった場合、ＴＶ（１）１０１の能力がＴＶ（２）１０７の能力よりも高いとする。
【００３９】
この判定方法の理由は、接続スピーカ数が多いＴＶは、接続スピーカ数が少ないＴＶと比べ、全体としてのオーディオ性能が良いと考えられるというものである。結果として、音声出力先としても良質な方の視聴装置を選択することなり、音声の聞き取りやすい環境を作ることが可能となる。
【００４０】
７．能力情報の組み合わせだった場合の例
例えば、解像度とスピーカ最大出力Ｗ数の組み合わせの場合について説明する。能力情報の組み合わせで能力の高低を決定する場合、能力情報の高低を決定するための優先順位があらかじめ決まっているものとする。具体的には、スピーカ最大出力Ｗ数を優先順位１、解像度を優先順位２とするようなものを例として挙げる。この優先順位の場合の例を２つ説明する。
【００４１】
ＴＶ１の解像度が１９２０＊１０８０、スピーカ最大出力Ｗ数が１０Ｗ、ＴＶ（２）１０７の解像度が９６０＊５４０、スピーカ最大出力Ｗ数が２０Ｗだった場合、スピーカ最大出力Ｗ数の能力がＴＶ（２）１０７＞ＴＶ（１）１０１のため、ＴＶ（２）１０７の能力の方がＴＶ（１）１０１の能力よりも高いとする。
【００４２】
ＴＶ１の解像度が１９２０＊１０８０、スピーカ最大出力Ｗ数が２０Ｗ、ＴＶ（２）１０７の解像度が９６０＊５４０、スピーカ最大出力Ｗ数が２０Ｗだった場合、まず、スピーカ最大出力Ｗ数の能力を比較し、ＴＶ（２）１０７＝ＴＶ（１）１０１のため、次に解像度を比較する。解像度の比較をした結果、最終的にＴＶ（１）１０１の能力の方が、ＴＶ（２）１０７の能力よりも高いとすることとなる。
【００４３】
上記７つの例全てにおいて、比較した能力情報が同じだった場合について、次に説明する。比較した能力情報が、全て同じだった場合は、再生装置と先に接続した方のＴＶに、能力が高いと判断された時と同じ処理をするものとする。それ以外のＴＶには、能力が低いと判断された時と同じ処理をするものとする。
【００４４】
以上の例のように、能力情報を比較することで、再生装置は音声出力先を決定することが可能となる。
【実施例２】
【００４５】
本発明の第二の実施形態について説明する。
【００４６】
第二の実施形態では、第一の実施形態と同様に図１のシステム構成を用いて説明する。
【００４７】
図３は、第二の実施形態における音声出力制御システムの処理のシーケンス図である。図３における処理３０１から処理３１４までの処理は、第一の実施形態における図２の処理２０１から処理２１４までの処理と同等である。第二の実施形態で、処理３０１から処理３１４までを行うと、ＴＶ（１）１０１は通常の再生開始３１３、ＴＶ（２）１０７からはミュート状態での再生開始３１４されることとなる。
【００４８】
第二の実施形態は、上記の状態で、通常再生されているＴＶ（１）１０１が電源ＯＦＦ３１５された場合に関する処理である。
【００４９】
電源ＯＦＦ３１５は、ユーザのリモコン操作によるものや、不意に電源がＯＦＦされた場合などを例として挙げる。
【００５０】
ＴＶ（１）１０１のＣＰＵ１０３は、電源ＯＦＦ３１５されると通信手段１０４を通じて電源ＯＦＦ情報３１６を再生装置１１３に送る。
【００５１】
再生装置１１３のＣＰＵ１１４は、通信手段１１６を通じて電源ＯＦＦ情報３１６を受け取ると、メモリ１１５に格納されている現在の音声出力先や接続先、能力情報を参照し、音声出力先の判定３１７を行う。今回の例では、音声出力先と電源ＯＦＦ情報３１６の送信元が同じであるため、また、接続されているＴＶがＴＶ（２）１０７のみとなるため、再生装置１１３のＣＰＵ１１４は、ミュート制御解除３１８を通信手段１１６を通じてＴＶ（２）１０７に送る。
【００５２】
ＴＶ（２）１０７のＣＰＵ１０９は、通信手段１１０を通じてミュート制御解除３１８を受け取ると、ミュートを解除し音声出力開始３１９する。
【００５３】
これらの処理により、ＴＶ（１）１０１の電源ＯＦＦ３１５された場合に、ＴＶ（２）１０７が音声出力開始３１９することが可能となる。
【実施例３】
【００５４】
本発明の第三の実施形態について説明する。
【００５５】
図４は第三の実施形態におけるシステム構成である。
【００５６】
本実施形態の音声出力システムは、ＴＶ（１）４０１、ＴＶ（２）４０７、ＴＶ（３）４１３、再生装置４１９で構成されている。
【００５７】
ＴＶ（１）４０１は、メモリ４０２、ＣＰＵ４０３、通信手段４０４、映像出力装置４０６、音声出力装置４０５で構成される。この構成は、実施例１で説明した、図１のシステム構成と同等であるものとする。ＴＶ（２）４０７及びＴＶ（３）４１３も同等の構成となっている。
【００５８】
再生装置４１９は、ＣＰＵ４２０、メモリ４２１、通信手段４２２で構成される。再生装置４１９に関しても、実施例１で説明した、図１のシステム構成と同等であるものとする。
【００５９】
上記の環境で図５の処理を行う。図５は、第三の実施形態における音声出力制御システムの処理のシーケンス図である。図５における処理５０１から処理５１４までの処理は、第一の実施形態における図２の処理２０１から処理２１４までの処理と同等である。第三の実施形態で、処理５０１から処理５１４までを行うと、ＴＶ（１）４０１は通常の再生開始５１３、ＴＶ（２）４０７からはミュート状態での再生開始５１４されることとなる。
【００６０】
第三の実施形態は、現在接続されているＴＶ（１）４０１、ＴＶ（２）４０７よりも能力の高いＴＶ（３）４１３が、一度以上音声出力先設定を行った後に接続（途中参加）した場合の処理である。
【００６１】
まず、ＴＶ（３）４１３のＣＰＵ４１５は、通信手段４１６を通じて、再生装置４１９に対し接続要求５１５する。再生装置４１９のＣＰＵ４２０は、通信手段４２２を通じて接続要求５１５を受け取ると、ＴＶ（３）４１３と接続５１６する。また、再生装置４１９のＣＰＵ４２０は、通信手段４２２を通じて、ＴＶ（３）４１３に対し能力情報要求５１７をする。ＴＶ（３）４１３のＣＰＵ４１５は、通信手段４１６を通じて能力情報要求５１７を受け取ると、再生装置４１９に対し、メモリ４１４に格納されている能力情報５１８を送る。
【００６２】
再生装置４１９のＣＰＵ４２０は、通信手段４２２を通じて能力情報５１８を受け取ると、能力情報５１８をメモリ４２１に格納後、能力情報の比較５１９を行う。能力情報の比較５１９は、現在音声を出力しているＴＶ（１）４０１と、新たに接続したＴＶ（３）４１３の能力情報を用いるものとする。この場合、ＴＶ（１）４０１の能力よりも、ＴＶ（３）４１３の能力の方が高いため、再生装置４１９は、音声出力先をＴＶ３に決定５２０する。
【００６３】
再生装置４１９のＣＰＵ４２０は、音声出力先をＴＶ３に決定５２０すると、ＴＶ（３）４１３に対し、通信手段４２２を通じて通常再生制御５２１のための信号を送る。ＴＶ（３）４１３のＣＰＵ４１５は、通信手段４１６を通じて通常再生制御５２１の信号を受けると、音声出力設定５２２を行う。
【００６４】
また、再生装置４１９のＣＰＵ４２０は、音声出力先をＴＶ３に決定５２０すると、ＴＶ（１）４０１に対し、通信手段４２２を通じてミュート制御５２３のための信号を送信する。ＴＶ（１）４０１のＣＰＵ４０３は、通信手段４０４を通じてミュート制御５２３の信号を受けると、ミュート設定５２４を行う。
【００６５】
再生装置４１９のＣＰＵ４２０は、上記の処理を終えると、ＴＶ（３）４１３に対しコンテンツ転送開始５２５する。ＴＶ（３）４１３は、コンテンツ転送開始５２５されると、再生開始５２６する。
【００６６】
以上の一連の処理により、ＴＶ（１）４０１及びＴＶ（２）４０７はミュート再生、ＴＶ（３）４１３は通常再生を開始することとなる。つまり、音声出力先が決定された後に、ＴＶが途中参加した場合でも、音声出力先の制御が可能であると言える。
【実施例４】
【００６７】
本発明の第四の実施形態について説明する。
【００６８】
第四の実施形態は、例えば再生装置が録画装置であった場合に問題となる可能性がある、コンテンツ保護に関するものである。第四の実施例は、本発明がコンテンツ保護を気にすることなく使用可能にするための方法の例である。
【００６９】
図６は第四の実施形態におけるシステム構成である。
【００７０】
本実施形態の音声出力システムは、ＴＶ１  ６０１、ＴＶ２  ６０７、再生装置６１３で構成されている。
【００７１】
ＴＶ（１）６０１は、メモリ６０２、ＣＰＵ６０３、通信手段６０４、映像出力装置６０６、音声出力装置６０５で構成される。この構成は、実施例１で説明した、図１のシステム構成と同等であるものとする。ＴＶ（２）６０７も同等の構成となっている。但し、メモリ６０２、６０８には、能力情報（実施例１と同等の構成）に加え、コンテンツプロテクション対応かどうかの情報を保持しているものとする。
【００７２】
再生装置６１３は、ＣＰＵ６１４、メモリ６１５、通信手段６１６、コンテンツ保護判別機能６１７で構成される。コンテンツ保護判別機能６１７以外の構成は、実施例１で説明した、図１のシステム構成と同等であるものとする。
【００７３】
上記の通り、第一の実施例との違いは、再生装置６１３にコンテンツ保護判別機能６１７を有していることである。コンテンツ保護判別機能６１７としては、次の二つの方法を例として挙げる。
【００７４】
１．再生装置６１３のＣＰＵ６１４が、各ＴＶへ配信するコンテンツを解析し、コンテンツ保護の有無を判別する
２．再生装置６１３のＣＰＵ６１４が、通信手段６１６を通じて、各ＴＶからコンテンツプロテクション対応かどうかの情報を受け取り、判別する
１．の場合、コンテンツ保護が無と判別された場合に、第一の実施例と同等の処理を行う。
【００７５】
２．の場合、コンテンツプロテクション対応のＴＶのみを対象とし、第一の実施例と同等の処理を行う。この時、再生装置６１３のＣＰＵ６１４は、通信手段６１６を通じてＴＶ（１）６０１及びＴＶ（２）６０７のコンテンツプロテクション対応かどうかの情報が取得可能に構成されている。能力情報の取得には、例えば非同期通信のデータチャネル（ＨＤＭＩならＣＥＣ）を用いる。
【００７６】
以上で、コンテンツ保護を気にすることなく、本発明を使用可能にするための方法の例を示した。これにより、再生対象となるコンテンツのコンテンツ保護を気にすることなく、音声出力先を決定することが可能となる。
【実施例５】
【００７７】
本発明の第五の実施形態について説明する。
【００７８】
第五の実施形態では、第一の実施形態と同様に図１のシステム構成を用いて説明する。
【００７９】
第一から第四の実施形態では、再生装置が音声出力先を決定するものであった。第五の実施例は、ＴＶ自らが音声出力権を決定するものである。
【００８０】
図７は、ＴＶが自ら音声出力権を決定する場合の処理のシーケンス図である。再生装置１１３のＣＰＵ１１４は、通信手段１１６を通じて、ＴＶ（１）１０１に対し接続要求７０１する。ＴＶ（１）１０１のＣＰＵ１０３は、通信手段１０４を通じ接続要求７０１を受けると、メモリ１０２に格納されている能力情報７０２を再生装置１１３に送る。
【００８１】
同様に、再生装置１１３のＣＰＵ１１４は、通信手段１１６を通じて、ＴＶ（２）１０７に対し接続要求７０３する。ＴＶ（２）１０７のＣＰＵ１０９は、通信手段１１０を通じて接続要求７０３を受けると、メモリ１０８に格納されている能力情報７０４を再生装置１１３に送る。
【００８２】
再生装置１１３のＣＰＵ１１４は、メモリ１１５に格納した能力情報７０２、７０４を、送信元以外のＴＶに送る。つまり、再生装置１１３のＣＰＵ１１４は、通信手段１１６を通じ、ＴＶ２の能力情報７０５をＴＶ（１）１０１に送り、ＴＶ１の能力情報７０６をＴＶ（２）１０７へ送る。
【００８３】
ＴＶ（１）１０１のＣＰＵ１０３は、自分の能力と、通信手段１０４を通じて受け取ったＴＶ２の能力情報７０５を用いて能力情報の比較７０７を行う。この結果を基に音声出力設定７０９をする。今回、ＴＶ（１）１０１の能力がＴＶ（２）１０７の能力より高いため、ＴＶ（１）１０１のＣＰＵ１０３は通常再生の設定をすることとなる。音声出力設定７０９が終わると、ＴＶ（１）１０１のＣＰＵ１０３は通信手段１０４を通じて再生装置１１３に対し、設定完了通知７１１を送る。
【００８４】
同様に、ＴＶ（２）１０７のＣＰＵ１０９は、自分の能力と、通信手段１１０を通じて受け取ったＴＶ１の能力情報７０６を用いて能力情報の比較７０８を行う。今回、ＴＶ（２）１０７の能力は、ＴＶ（１）１０１の能力より低いため、ＴＶ（２）１０７のＣＰＵ１０９は、ミュート設定７１０をする。ミュート設定７１０が終わると、ＴＶ（２）１０７のＣＰＵ１０９は、通信手段１１０を通じ再生装置１１３に対し、設定完了通知７１２を送る。
【００８５】
再生装置１１３のＣＰＵ１１４は、通信手段１１６を通じて設定完了通知７１１、７１２を受け取ると、ＴＶ（１）１０１及びＴＶ（２）１０７に対し、コンテンツ転送開始７１３、７１４する。
【００８６】
コンテンツ転送開始７１３、７１４されると、ＴＶ（１）１０１は通常の再生開始７１５をし、ＴＶ（２）１０７はミュート状態での再生開始７１６する。
【００８７】
上記一連の処理により、ＴＶ自らが音声出力権を決定するが可能となる。
【図面の簡単な説明】
【００８８】
【図１】実施例１、実施例２及び実施例５におけるシステム構成
【図２】実施例１における音声出力制御システムの処理のシーケンス図
【図３】実施例２における音声出力制御システムの処理のシーケンス図
【図４】実施例３におけるシステム構成
【図５】実施例３における音声出力制御システムの処理のシーケンス図
【図６】実施例４におけるシステム構成
【図７】実施例５における音声出力制御システムの処理のシーケンス図
【図８】能力情報のメモリ格納方法の例
【符号の説明】
【００８９】
１０１  ＴＶ１
１０２、１０８、１１５、４１４  メモリ
１０３、１０９、１１４、４１５  ＣＰＵ
１０４、１１０、１１６、４１６  通信手段
１０５、１１１、４１７  音声出力装置
１０６、１１２、４１８  映像出力装置
１０７  ＴＶ２
１１３  再生装置
２０１、２０３  接続要求
２０２、２０４  能力情報
２０５  能力情報の比較
２０６  音声出力先の決定
２０７  通常再生制御
２０８  ミュート制御
２０９  音声出力設定
２１０  ミュート設定
２１１、２１２  コンテンツ転送開始
２１３、２１４  再生開始
３１５  電源ＯＦＦ
３１６  電源ＯＦＦ情報
３１８  ミュート制御解除
４１３  ＴＶ３
【図１】
2009130706.tif 000003
【図２】
2009130706.tif 000004
【図３】
2009130706.tif 000005
【図４】
2009130706.tif 000006
【図５】
2009130706.tif 000007
【図６】
2009130706.tif 000008
【図７】
2009130706.tif 000009
【図８】
2009130706.tif 000010